(57)【特許請求の範囲】
【請求項１】
前面に遊技領域を有する遊技盤と、
遊技盤の前方に位置する前扉とを有し、
前扉には、少なくとも遊技領域を可視可能にする窓部を備えた遊技機であって、
遊技盤には、
遊技機を特定するための情報である遊技機特定情報を付した表示部材と、
表示部材を、遊技領域から外れた位置である退避位置と前扉の窓部から遊技機特定情報を可視可能にする位置である可視可能位置との間で、移動可能にする表示部材移動手段と、
表示部材を、退避位置で固定する退避位置固定手段と、
表示部材を、可視可能位置で固定する可視可能位置固定手段とを備えていることを特徴とする遊技機。
【請求項２】
表示部材移動手段は、表示部材を退避位置から可視可能位置へ向けて移動させる際に、遊技機特定情報の少なくとも半分以上が遊技領域にさしかかる位置まで、表示部材を移動可能に形成され、かつ、可視可能位置固定手段は、遊技機特定情報の少なくとも半分以上が遊技領域にさしかかる位置で、表示部材を固定するように形成されていることを特徴とする請求項１記載の遊技機。
【請求項３】
遊技盤は、表示部材移動手段としてのレールを備え、
表示部材は、レールに沿って表示部材を摺動可能にレールと係合する、表示部材移動手段としてのガイドを備えていることを特徴とする請求項１又は２記載の遊技機。
【請求項４】
表示部材移動手段は、遊技盤の前面に対して垂直に設けられた垂直軸を中心に表示部材を回動させることにより、退避位置と可視可能位置との間で、表示部材を移動可能に形成されていることを特徴とする請求項１又は２記載の遊技機。
【請求項５】
表示部材移動手段は、遊技盤の前面に対して平行に設けられた平行軸を中心に表示部材を回動させることにより、退避位置と可視可能位置との間で、表示部材を移動可能に形成されていることを特徴とする請求項１又は２記載の遊技機。
【発明の詳細な説明】
【技術分野】
【０００１】
この発明は、遊技機に関し、更に詳しくは、機種、管理番号等を含む遊技機特定情報を表示した遊技機に関する。
【背景技術】
【０００２】
従来より、パチンコ機等の遊技機においては、検査工程等を含む製造時の組み立て工程の管理のため、遊技機を特定するための情報である遊技機特定情報が付されている。また、この遊技機特定情報には、遊技機であるパチンコ機等の機種、管理番号等が含まれており、通常、ＱＲコード（登録商標）等の２次元コード化されて、遊技機に付されている。
また、パチンコ機等の遊技機には、遊技盤に遊技領域が設けられている。また、パチンコ機等の遊技機には、前扉が設けられている。この前扉は、窓部を有しており、窓部は、ガラス等により形成され、遊技領域を可視可能にしている。また、従来のパチンコ機等の遊技機においては、窓部が、遊技領域に対してやや大きめに形成されていた。したがって、遊技盤の遊技領域の外側の一部が可視可能であった。また、従来のパチンコ機等の遊技機においては、遊技機特定情報は、遊技の邪魔にならないように、遊技領域の外側であって、窓部から可視可能な部分である遊技盤の右下に付されていた。
【０００３】
また、パチンコ機等の遊技機は、その製造時の組み立て工程の中で、検査工程等、前扉を閉めた後に遊技機特定情報の確認を必要とする工程が存在する。したがって、遊技機は、遊技機特定情報を、前扉を閉めた状態で、窓部を介して外部から可視可能に形成する必要がある。
【発明の開示】
【発明が解決しようとする課題】
【０００４】
しかし、近年のパチンコ機等の遊技機においては、遊技領域に対して、前扉の窓部が小さく形成されている機種が存在する。このようなパチンコ機等の遊技機では、前扉の窓部から、遊技領域以外の部分があまり見えなくなっている。また、このようなパチンコ機等の遊技機においては、従来のように遊技領域から外れた位置である遊技盤の右下に遊技機特定情報を付すると、前扉を閉めた状態では、遊技盤に付されている遊技機特定情報の前方に前扉の枠部が位置し、遊技機特定情報を外部から隠してしまう場合がある。この場合、前扉を閉めた状態で、遊技機特定情報の確認が必要なときに、外部から遊技機特定情報が確認できなくなる。
【０００５】
このように、遊技機用特定情報が前扉を閉めた状態で、外側から確認できなくなると、それまで、製造時の組み立て工程において、検査工程等、前扉を閉めた状態で遊技機特定情報を確認し、作業をする工程が存在した場合、その工程の内容を変更しなければならなくなる。
そこで、本発明は、上記状況に鑑み以下の点を目的とする。
（請求項１）
すなわち、請求項１記載の発明は、遊技領域に対して前扉の窓部が小さく形成され、前扉を閉めた状態では、窓部から遊技領域以外の部分があまり見えないような遊技機であっても、遊技機特定情報を、前扉を閉めた状態でも窓部から確認できる位置に移動させ、かつ、その位置で固定することにより、製造工程における検査時等の必要なときには、前扉を閉めた状態で、遊技機を特定するための遊技機特定情報が確認できると供に、遊技時には、遊技機特定情報を遊技の邪魔にならない位置に移動させ、かつ、その位置で固定することにより、遊技機特定情報が邪魔することなく、遊技をすることができる遊技機を提供することを目的とする。
【０００６】
（請求項２）
すなわち、請求項２記載の発明は、上記請求項１記載の発明に加えて、表示部材を、遊技機特定情報が前扉の窓部から可視可能な位置に移動させ、かつ、その位置で固定するとき、少なくとも遊技機特定情報の半分以上が遊技領域に位置するように形成することにより、遊技機特定情報の内容をより確認しやすくすることができる遊技機を提供することを目的とする。
（請求項３）
すなわち、請求項３記載の発明は、請求項１又は２記載の発明に加えて、遊技盤にレールを備え、表示部材に、レールに沿って表示板を摺動可能にレールと係合するガイドを備えることにより、簡単な構造及び操作で、表示部材を退避位置から可視可能位置まで移動させることができる遊技機を提供することを目的とする。
【０００７】
（請求項４）
すなわち、請求項４記載の発明は、上記請求項１又は２記載の発明に加えて、表示部材を、遊技盤の前面に対して垂直に設けられた垂直軸を中心に回動させ、遊技機特定情報を前扉の窓部から可視可能な位置に移動することにより、簡単な構造及び操作で、表示部材を退避位置から可視可能位置まで移動させることができる遊技機を提供することを目的とする。
（請求項５）
すなわち、請求項５記載の発明は、上記請求項１又は２記載の発明に加えて、表示部材を、遊技盤の前面に対して平行に設けられた平行軸を中心に回動させ、遊技機特定情報を前扉の窓部から可視可能な位置に移動することにより、簡単な操作及び簡単な構造で、表示部材を退避位置から可視可能位置まで移動させることができる遊技機を提供することを目的とする。
【課題を解決するための手段】
【０００８】
各請求項にそれぞれ記載された発明は、前述の目的を達成するためになされたものである。なお、符号は、発明の実施の形態において用いた符号を示し、本発明の技術的範囲を限定するものではない。
（請求項１）
（特徴点）
請求項１記載の発明は、次の点を特徴とする。
すなわち、請求項1記載の発明は、前面に遊技領域10を有する遊技盤7と、遊技盤7の前方に位置する前扉3とを有し、前扉3には、少なくとも遊技領域10を可視可能にする窓部18を備えた遊技機PMであって、遊技盤7には、遊技機PMを特定するための情報である遊技機特定情報を付した表示部材60と、表示部材60を、遊技領域10から外れた位置である退避位置と前扉3の窓部18から遊技機特定情報を可視可能にする位置である可視可能位置との間で、移動可能にする表示部材移動手段32と、表示部材60を、退避位置で固定する退避位置固定手段72と、表示部材60を、可視可能位置で固定する可視可能位置固定手段74とを備えていることを特徴とする。
【０００９】
ここで、「遊技機PM」とは、パチンコ機等の、遊技領域10を有している遊技機PMをいう。
また、「遊技盤7」の前面に、遊技領域10が形成されている。また、「遊技領域10」とは、例えば、遊技機がパチンコ機PMの場合、一対のレール6に囲まれた内側をいう。
また、「前扉3」は、遊技盤7の前方の位置に設けられている。また、前扉3には、窓部18が設けられている。
また、「窓部18」は、少なくとも遊技領域10が可視可能に形成されている。したがって、少なくとも遊技領域10が可視可能であれば、遊技盤7の前面の遊技領域10以外の部分が可視可能になっていても良い。また、窓部18は、具体的には、例えば、ガラス等の透明な板材を用いて形成することができる。
【００１０】
また、「表示部材60」には、遊技機PMを特定するための情報である遊技機特定情報が付されている。また、遊技機PMを特定するための情報とは、機種番号、管理番号等をいう。また、遊技機特定情報は、通常ＱＲコード（登録商標）等の２次元コードに変換したものを用いるが、バーコード等を用いて変換したものや、何らの変換処理を行わない、機種番号や管理番号そのものを用いても良い。また、遊技機特定情報を表示部材60に付する場合、例えば、表示部材60に直に印刷するようにしても良いし、遊技機特定情報を台紙に印刷し、その台紙の裏面に糊等の接着材を塗布したシール状のものを、表示部材60に貼付するようにしても良い。
【００１１】
また、「表示部材移動手段32」は、遊技機特定情報が付されている表示部材60を、退避位置と、可視可能位置との間で移動可能に形成されている。
また、「退避位置」とは、遊技盤7に形成されている遊技領域10から外れた位置である。また、「可視可能位置」とは、前扉3の窓部18から遊技機特定情報が可視可能な位置である。また、可視可能位置は、前扉3の窓部18を通して遊技機特定情報が見えさえすれば、遊技領域10内であっても良く、遊技領域10内から外れた位置であっても良い。
また、「退避位置固定手段72」は、表示部材60を退避位置で固定するものである。
また、「可視可能位置固定手段74」は、表示部材60を可視可能位置で固定するものである。また、上記のように可視可能位置は、遊技領域10内であっても、遊技領域10から外れた位置であっても構わない。したがって、可視可能位置固定手段74は、表示部材60を遊技領域10内にある可視可能位置に固定しても良いし、遊技領域10から外れた位置にある可視可能位置に固定しても良い。
【００１２】
（請求項２）
（特徴点）
請求項２記載の発明は、次の点を特徴とする。
すなわち、請求項２記載の発明は、請求項１記載の発明を限定したものであって、次の点を特徴とする。
すなわち、表示部材移動手段32は、表示部材60を退避位置から可視可能位置へ向けて移動させる際に、遊技機特定情報の少なくとも半分以上が遊技領域10にさしかかる位置まで、表示部材60を移動可能に形成され、かつ、可視可能位置固定手段74は、遊技機特定情報の少なくとも半分以上が遊技領域10にさしかかる位置で、表示部材60を固定するように形成されていることを特徴とする。
【００１３】
ここで、表示部材移動手段32は、表示部材60を退避位置から可視可能位置へ向けて移動させる際、遊技機特定情報の少なくとも半分以上が遊技領域10にさしかかる位置まで、表示部材60を移動可能に形成すれば良い。
ここで、可視可能位置とは、前扉3の窓部18から遊技機特定情報を可視可能にする位置である。したがって、表示部材移動手段32は、退避位置から可視可能位置へ向けて移動させる際に、前扉3の窓部18から遊技機特定情報が可視可能であれば、例えば、表示部材60が、遊技機特定情報の半分が遊技領域10にさしかかる位置まで移動するように、表示部材移動手段32を形成しても良いし、表示部材60が遊技機特定情報の２／３が遊技領域10にさしかかる位置まで移動するように、表示部材移動手段32を形成しても良いし、
又は、表示部材60が遊技機特定情報の全部が遊技領域10にさしかかる位置まで移動するように、表示部材移動手段32を形成しても良い。
【００１４】
また、可視可能位置固定手段74は、遊技機特定情報の半分以上が遊技領域10にさしかかる位置で、表示部材60を固定するように形成すれば良い。なお、この際、可視可能位置固定手段74は、可視可能位置で表示部材60を固定する必要がある。
したがって、例えば、表示部材60が遊技機特定情報の半分が遊技領域10にさしかかる位置まで移動するように、表示部材移動手段32を形成した場合には、例えば、遊技機特定情報の半分が遊技領域10にさしかかる位置が可視可能位置であれば、表示部材60をその位置で固定するように、可視可能位置固定手段74を形成することができる。
また、例えば、表示部材60が遊技機特定情報の２／３が遊技領域10にさしかかる位置まで移動するように、表示部材移動手段32を形成した場合には、例えば、遊技機特定情報の２／３が遊技領域10にさしかかる位置が可視可能位置であれば、その位置で表示部材60を固定するように、可視可能位置固定手段74を形成しても良いし、例えば、遊技機特定情報の半分が遊技領域10にさしかかる位置が可視可能位置であれば、その位置で表示部材60を固定するように、可視可能位置固定手段74を形成しても良い。
【００１５】
また、例えば、遊技機特定情報の全部が遊技領域10さしかかる位置まで表示部材60が移動するように、表示部材移動手段32を形成した場合には、例えば、遊技機特定情報の全部が遊技領域10にさしかかる位置が可視可能位置であれば、その位置で表示部材60を固定するように可視可能位置固定手段74を形成しても良いし、例えば、遊技機特定情報の２／３が遊技領域10にさしかかる位置が可視可能位置であれば、その位置で表示部材60を固定するように可視可能位置固定手段74を形成しても良いし、例えば、遊技機特定情報の半分が遊技領域10にさしかかる位置が可視可能位置であれば、その位置で表示部材60を固定するように可視可能位置固定手段74を形成しても良い。
【００１６】
（請求項３）
（特徴点）
請求項３記載の発明は、請求項１又は請求項２記載の発明を限定したものであって、次の点を特徴とする。
すなわち、遊技盤7は、表示部材移動手段32としてのレール44を備え、表示部材60は、レール44に沿って表示部材60を摺動可能にレール44と係合する、表示部材移動手段32としてのガイド62を備えていることを特徴とする。
ここで、遊技盤7は、「レール44」を備えている。また、レール44は、表示部材移動手段32を構成する。また、表示部材60は、「ガイド62」を備えている。ガイド62は、レール44に沿って表示部材60を摺動可能にするように、レール44と係合している。また、ガイド62は、表示部材移動手段32を構成する。つまり、レール44とガイド62とから表示部材移動手段32が構成されている。
【００１７】
また、レール44は、遊技盤7と一体として形成しても良いし、遊技盤7とは、別体として形成し、遊技盤7に取り付けるようにしても良い。また、例えば、レール44は、遊技盤7の前面に対して平行に設けても良いし、可視可能位置から退避位置へ向かうにしたがって、徐徐に裏面方向へ向かって低くなるように傾斜させても良い。また、逆に、退避位置から可視可能位置へ向かうにしたがって、徐徐に裏面方向へ向かって低くなるように形成させても良い。また、レール44は、退避位置と可視可能位置との間を、直線状に形成しても良いし、退避位置と可視可能位置との間で曲線を描くようにカーブさせて形成しても良い。
また、ガイド62は、レール44に沿って表示部材60を摺動可能にするように、レール44と係合している。したがって、例えば、ガイド62の一部をレール44に引っかかるように係合させ、レール44に沿って滑るように、表示部材60を摺動可能に形成しても良いし、又は、ガイド62にレール44を囲むようなレール用通路70を形成し、そのレール用通路70の中にレール44を通すようにして、表示部材60をレール44に沿って摺動可能にするようにしても良い。
【００１８】
（請求項４）
（特徴点）
請求項４記載の発明は、請求項１又は請求項２記載の発明を限定したものであって、次の点を特徴とする。
すなわち、表示部材移動手段32は、遊技盤7の前面に対して垂直に設けられた垂直軸75を中心に表示部材60を回動させることにより、退避位置と可視可能位置との間で、表示部材60を移動可能に形成されていることを特徴とする。
ここで、垂直軸75は、遊技盤7の前面に対して垂直に設けられている。また、表示部材移動手段32は、垂直軸75を中心に表示部材60を回動させることにより、退避位置と可視可能位置との間を移動可能にしている。
【００１９】
ここで、垂直軸75は、遊技盤7の前面に対して垂直に設けられていれば良い。したがって、垂直軸75は、遊技盤7に設けられていても良いし、表示部材60に設けられていても良い。また、垂直軸75を遊技盤7に設けた場合には、表示部材60に、表示部材60を垂直軸75を中心に回動可能にする軸受や、貫通孔等を設ける。また、垂直軸75を表示部材60に設けた場合には、遊技盤7に、表示部材60を垂直軸75を中心に回動可能にする軸受や、貫通孔等を設ける。そして、垂直軸75や軸受や貫通孔等が表示部材移動手段32を構成する。
（請求項５）
（特徴点）
請求項５記載の発明は、請求項１又は請求項２記載の発明を限定したものであって、次の点を特徴とする。
【００２０】
すなわち、表示部材移動手段32は、遊技盤7の前面に対して平行に設けられた平行軸76を中心に表示部材60を回動させることにより、退避位置と可視可能位置との間で、表示部材60を移動可能に形成されていることを特徴とする。
ここで、平行軸76は、遊技盤7の前面に対して平行に設けられている。また、表示部材移動手段32は、平行軸76を中心に表示部材60を回動させることにより、退避位置と可視可能位置との間を移動可能にしている。
ここで、平行軸76は、遊技盤7の前面に対して平行に設けられていれば良い。したがって、平行軸76は、遊技盤7に設けられていても良いし、表示部材60に設けられていても良い。また、平行軸76を遊技盤7に設けた場合には、表示部材60の所定の位置に、平行軸76を通すための軸受や、貫通孔等を設ける。この軸受や、貫通孔に平行軸76を通すことにより表示部材60を平行軸76を中心に回動させることができるように形成する。また、平行軸76を表示部材60に設けた場合には、遊技盤7の所定の位置に、平行軸76を著押すための軸受や、貫通孔を設ける。この軸受や、貫通孔に平行軸76を通すことにより表示部材60を平行軸76を中心に回動させることができるように形成する。また、遊技盤7及び表示部材60の双方の所定の位置に、軸受や、貫通孔等を設ける。そして、遊技盤7及び表示部材60の双方に設けられた軸受や、貫通孔等に平行軸76を通すことにより表示部材60を平行軸76を中心に回動させることができるように形成することもできる。そして、平行軸76や軸受や貫通孔等が表示部材移動手段32を構成する。
【発明の効果】
【００２１】
（請求項１）
請求項１記載の発明によれば、遊技盤には、遊技機特定情報を付した表示部材を退避位置と可視可能位置との間で移動可能にする表示部材移動手段と、表示部を退避位置で固定する退避位置固定手段と、表示部を可視可能位置で固定する可視可能位置固定手段とを備えた。これにより、遊技領域に対して前扉の窓部が小さく形成され、前扉を閉めた状態では、窓部から遊技領域以外の部分があまり見えないような遊技機であっても、製造工程にける検査時等の必要なときには、表示部材を可視可能位置に移動し、かつ、その位置で固定することにより、前扉を開けずに、外部から遊技機を特定するための情報を確認することができる。また、遊技時には、表示部材を退避位置に移動し、かつ、その位置で固定することにより、表示部材が邪魔することなく遊技をすることができる。
【００２２】
（請求項２）
請求項２記載の発明によれば、上記した請求項１記載の発明の効果に加え、次のような効果を奏する。
すなわち、請求項２記載の発明は、請求項１記載の発明に加えて、表示部を可視可能位置に移動させるとき、少なくとも遊技機特定情報の半分以上が遊技領域にさしかかるようにし、かつ、表示部材を可視可能位置に固定させるとき、少なくとも遊技機特定情報の半分以上が遊技領域にさしかかるようにした。したがって、遊技機を特定するための遊技機特定情報の内容を、より確認しやすくすることができる。
【００２３】
（請求項３）
請求項３記載の発明によれば、上記した請求項１又は請求項２記載の発明の効果に加え、次のような効果を奏する。
すなわち、請求項３記載の発明は、請求項１又は請求項２記載の発明に加えて、遊技盤にレールを備え、表示部材に、レールに沿って表示部材を摺動可能にレールと係合するガイドを備えた。これにより、簡単な構造及び操作で、表示部材を退避位置から可視可能位置まで移動させることができる。
（請求項４）
請求項４記載の発明によれば、上記した請求項１又は請求項２記載の発明の効果に加え、次のような効果を奏する。
【００２４】
すなわち、請求項４記載の発明は、請求項１又は請求項２記載の発明に加えて、表示部材を、垂直軸を中心に回動させることにより、退避位置と可視可能位置との間で移動可能に形成した。したがって、簡単な構造及び操作で、表示部材を退避位置から可視可能位置まで移動させることができる。
（請求項５）
請求項５記載の発明によれば、上記した請求項１又は請求項２記載の発明の効果に加え、次のような効果を奏する。
すなわち、請求項５記載の発明は、請求項１又は請求項２記載の発明に加えて、表示部材を、平行軸を中心に回動させることにより、退避位置と可視可能位置との間で移動可能に形成した。したがって、簡単な構造及び操作で、表示部材を退避位置から可視可能位置まで移動させることができる。
【発明を実施するための最良の形態】
【００２５】
（第1の実施の形態）
（図面の説明）
以下、本発明を実施するための最良の形態である実施の形態について、図面を用いて説明する。
図１は、本実施の形態にかかるパチンコ機PMの正面図である。図２は、本実施の形態にかかる遊技盤7の正面拡大図である。図３は、本実施の形態にかかる表示部材移動部40の拡大斜視図である。図４は、本実施の形態にかかる表示部材60の拡大斜視図である。図５は、本実施の形態にかかる退避位置での表示部材60を示す拡大断面図である。図６は、本実施の形態にかかる表示部材60の退避位置から可視可能位置へ移動する際の動作を示す拡大断面図である。図７は、本実施の形態にかかる可視可能位置での表示部材60を示す拡大断面図である。
【００２６】
（パチンコ機PMの概略構成）
本実施の形態にかかる遊技機PMは、パチンコ機PMである。本実施の形態にかかるパチンコ機PMは、図１に示すように、当該パチンコ機PMの外郭保持枠をなす外枠1と、この外枠1に開閉自在に軸支された前枠2とを備えたものとなっている。そして、前枠2には、前面に遊技領域10等を形成するための遊技盤7と、この遊技盤7の前方に位置する前扉3と、遊技球を受ける上球皿4と、遊技球の発射操作を行うための操作ハンドル5と、遊技領域10の周辺を囲むように遊技盤7に固定された一対のレール6とが設けられている。また、遊技盤7の前面には、一対のレール6とが設けられている。そして、レール6の内側が遊技領域10とされている。
【００２７】
（遊技盤7）
遊技盤7は、図１及び図２に示すように、前面に一対のレール6が設けられ、レール6の内側が遊技領域10とされ、レール6の外側が外部枠8とされている。
また、遊技領域10の中央には、遊技の演出を行う装飾図柄表示装置20が設けられている。また、パチンコ機PMの遊技領域10には、遊技球が入賞すると遊技者に賞球が払い出される複数の一般入賞口11と、遊技者の入賞により、遊技者への賞球払出を行うとともに、大当たり抽選の契機となり、かつ、面状表示部である装飾図柄表示装置20の図柄変動を開始させる始動入賞口12と、通常遊技では閉鎖されている大入賞口13と、遊技球を回収するアウト口14と、打球の落下に影響を与えるための風車15と、図示しない多数の遊技釘とが設けられている。
【００２８】
また、遊技盤7の右下方の遊技領域10から外れた位置には、表示部材移動手段32と、退避位置固定手段72と、可視可能位置固定手段74とを含む表示部材移動部40が設けられている。また、表示部材移動部40には、表示部材60が備えられている。また、表示部材60には、遊技機特定情報が付されている。
（前扉3）
前扉3は、図１に示すように、遊技盤7の前方に位置している。また、前扉3は、樹脂等で形成された枠部19と、枠部19に保持されている窓部18とを有している。また、窓部18は、少なくとも遊技者から遊技領域10が視認できるように、前扉3の中央に設けられている。また、窓部18は、遊技者から、遊技領域10が可視可能なように透明なガラス等の板材で形成されている。
【００２９】
また、枠部19には、遊技中に点灯もしくは点滅表示される複数のランプから構成される遊技効果ランプ30が設けられている。また、枠部19の左右の上端付近には、演出用の音声を出力させるためのスピーカ17が設けられている。
また、図１に示すように、前扉3を閉じたとき、窓部18は、少なくとも遊技領域10を可視可能にするように形成されている。
（パチンコ機ＰＭの遊技）
また、パチンコ機PMでは、遊技者が操作ハンドル5を所定の位置に回動操作すると、上球皿4に収納された遊技球が１個ずつ発射部（図示せず）に送られる。発射部に到達した球は、操作ハンドル5の回転角度に応じた強度で、発射部から遊技領域10へ向かって発射され、遊技領域10内に落下し、入賞口11、12及びアウト口14のいずれかに受け入れられる。ここで、遊技球が入賞口11、12に受け入れられた場合には、所定の賞球が上球皿4に払い出される。
【００３０】
また、入賞口11、12のうち始動入賞口12に打球が入賞すると、所定の賞球が上球皿4に払い出される。また、装飾図柄表示装置20の画面に表示されている複数の図柄も変動が開始される。この図柄の変動が開始されてから所定の時間が経過すると、装飾図柄表示装置20に変動表示された図柄が停止する。ここで、停止した３つの図柄が予め規定された組合せ（例えば、１〜９の各数字のぞろ目）となっている場合には、当たりとなり、大入賞口13が開放され、遊技領域10へ向かって発射された遊技球の大半が大入賞口13へ入賞するようになり、遊技者に大量の賞球が払い出される。
（表示部材移動部40）
遊技盤7の右下方付近には、表示部材移動部40が設けられている。図３は、表示部材移動部40から表示部材60を外したときの、表示部材移動部40の拡大斜視図を示している。
【００３１】
表示部材移動部40は、図３に示すように、遊技領域10から外れた位置である外部枠8に設けられている。また、表示部材移動部40には、表示部材60を移動させるための、表示部材移動手段32としてのレール44が形成されている。また、表示部材移動部40には、表示部材60を退避位置で固定する退避位置固定手段72と、表示部材60を可視可能位置で固定する可視可能位置固定手段74とが形成されている。ここで、退避位置とは、遊技領域10から外れた位置である。また、可視可能位置とは、前扉3の窓部18から、遊技機PMを特定するための情報である遊技機特定情報を可視可能にする位置である。
表示部材移動部40には、図３に示すように、遊技領域10側に、外部枠8の前面から凹んだ平面凹部34と、平面凹部34の遊技領域10とは反対側に連設された、平面凹部34から更に凹んだ表示部材用凹部36とが設けられている。
【００３２】
また、表示部材用凹部36は、右側、すなわち遊技領域10の反対方向へ向かうに従って、深さが次第に深くなるように形成されている。また、表示部材用凹部36の傾斜面は、凹凸なく平らに形成されている。また、表示部材用凹部36の平面凹部34とは反対側の端部（一番深くなっている端部）には、遊技機PMの前方向へ向けて立設した係止板38が設けられている。係止板38の上側には、係止板38を貫通する固定用長孔48が形成されている。固定用長孔48は、係止板38の途中から前方向へ向けて延びるように形成されている。また、固定用長孔48は、後述する表示部材60の係合突出部69が、入るように形成されている。
また、遊技盤7の表示部材移動部40の裏面には、平面凹部34と表示部材用凹部36との間から、遊技盤7の裏方向へ向けて立設された補助板22が設けられている。
【００３３】
また、表示部材用凹部36には、遊技盤7を貫通している２本の長孔41、42が設けられている。また、２本の長孔41、42のうち、上方に位置する長孔を上長孔41とし、下方に位置する長孔を下長孔42としている。また、上長孔41と下長孔42とは、互いに平行になるように形成されている。また、表示部材用凹部36には、上長孔41の遊技領域10側の端部と下長孔42の遊技領域10側の端部とを繋ぐ、連結孔43が設けられている。また、表示部材用凹部36の傾斜面には、これら上長孔41と、下長孔42と、連結孔43とにより、上長孔41と下長孔42との間に、表示部材移動手段32としてのレール44が形成されている。
また、レール44は、図３に示すように、長方形の平板状に形成されている。また、レール44は、遊技領域10と反対側の一方の短辺側端部は遊技盤7と連結されており、遊技領域10側の他方の短辺側端部は自由端になっている。つまり、レール44は、遊技領域10へ向かって延びるように形成されている。また、レール44は、遊技領域10へ向かうにしたがって、遊技盤7の前方へ向かって徐徐に突出するように傾斜して形成されている。
【００３４】
また、このレール44の先端付近の裏面には、レール突出部45が設けられている。レール突出部45は、遊技盤7の裏方向へ向けて突出している。また、レール突出部45は、先端の断面が円弧状になるように形成されている。
また、表示部材用凹部36の斜面には、上長孔41の上方に、摺動部56が設けられている。また、表示部材用凹部36の斜面には、下長孔42の下方に、摺動部56が設けられている。したがって、摺動部56は、合計２個設けられている。また、各摺動部56のそれぞれの遊技領域10側の端部付近には、摺動止部57が設けられている。したがって、摺動止部57は合計２個設けられている。また、各摺動止部57は、それぞれ遊技機PMの前方向へ向かって突出して設けられている。また、各摺動止部57は、それぞれ先端の断面が円弧状に形成されている。
【００３５】
また、補助板22には、補助板22を貫通する２本の補助板長孔51が設けられている。この２本の補助板長孔51は、それぞれ補助板22の途中から遊技盤7の前方向へ向かって延びるように設けられている。また、この２本の補助板長孔51は、互いに平行になるように形成されている。また、平面凹部34には、平面凹部34を貫通する２本の平面凹部長孔52が形成されている。２本の平面凹部長孔52は、図３に示すように、それぞれ各補助板長孔51に連続して設けられている。また、各平面凹部長孔52は、それぞれ遊技領域10方向へ向かって延びるように形成されている。また、２本の平面凹部長孔52は、互いに平行になるように形成されている。また、平面凹部34には、２本の平面凹部長孔52の遊技領域10側の端部どうしを繋ぐ、係止片連結孔53が形成されている。
【００３６】
また、表示部材移動部40には、この２本の補助板長孔51と、２本の平面凹部長孔52と、係止片連結孔53とにより、２本の補助板長孔51の間に係止片50が形成されている。
係止片50は、一端が補助板22に連結されている。また、他端である先端が自由端となっている。また、係止片50の先端には、遊技領域10側へ向けて、直角に立設している板状の係止止片58が形成されている。また、係止片50の遊技領域10とは反対側の面の先端付近には、遊技領域10の反対方向へ向けて突出した側方突出部55が設けられている。また、係止止片58の遊技領域10側の先端には、遊技機PMの前方向へ向けて突出した前方突出部54が設けられている。側方突出部55及び前方突出部54は、それぞれ先端の断面が円弧状に形成されている。
【００３７】
（表示部材60）
表示部材60は、遊技盤7の右下の表示部材移動部40に取り付けられるものである。また、表示部材60は、遊技機PMを特定するための情報である遊技機特定情報が付されている。また、表示部材60には、レール44に沿って表示部材60を摺動可能にするガイド62が設けられている。
また、表示部材60は、図４に示すように、四角い板状に形成された板部61と、遊技機用識別コード台紙100と、表示部材移動手段32を構成するガイド62とから形成されている。また、遊技機用識別コード台紙100は、板部61の表面、すなわち、遊技機PMの前方から確認できる面に貼り付けられている。
【００３８】
また、遊技機用識別コード台紙100の表面には、遊技機特定情報が表記されている。
また、遊技機用識別コード台紙100は、遊技機PMの製造工程の初期において、表示部材60に貼付される。この遊技機用識別コード台紙100には、遊技機特定情報が印刷されている。遊技機用識別コード台紙100は、裏面に粘着性のある糊等の接着材が塗布されているシール状に形成され、板部61の表面に貼付されている。
ここで、遊技機特定情報は、ＱＲコード（登録商標）等の２次元コードが用いられ、コード化されている。また、遊技機特定情報には、パチンコ機PM等の遊技機の機種や管理番号を示す情報等が含まれている。
【００３９】
板部61の裏面には、レール44に沿って表示部材60を摺動可能に形成されたガイド62が設けられている。ガイド62は、表示部材60を、退避位置と可視可能位置との間で、移動可能にするためのものである。また、ガイド62は、レール44に沿って表示部材60を摺動可能にレール44と係合する。
ガイド62は、板部61の裏面の左右の両端部付近から、遊技盤7の後方へ向けてほぼ垂直に立設した２枚の側板63と、２枚の側板63の間を連結している連結部65とから形成されている。
また、２枚の側板63のうち、上側に位置する側板63を、上側板63aとする。また、２枚の側板63のうち、下側に位置する側板63を下側板63bとする。
【００４０】
また、上側板63a及び下側板63bは、図４に示すように、それぞれ板面がほぼ直角三角形の形状をしている。また、板面が直角三角形の形状に形成された上側板63a及び下側板63bは、それぞれ、端部に、接続面64aと、当接面64bと、摺動面64cとを有している。
また、接続面64aは、図４における、各側板63の上側に位置する面である。また、当接面64bは、図４における、各側板63の右側に位置する面である。また、摺動面64cは、図４における各側板63の下側に位置する面である。
また、接続面64aと当接面64bとは、互いに直角になるように形成されている。
また、各側板63は、それぞれ接続面64aが、板部61の裏面に接続するように形成されている。また、各側板63は、当接面64bが、外側、つまり遊技領域10とは反対側を向くように形成されている。
【００４１】
また、各側板63は、それぞれ接続面64aが、板部61の裏面に接続するように形成されている。各側板63は、当接面64bが、遊技機PMの外側、つまり遊技領域10とは反対側を向くように形成されている。
また、各側板63は、それぞれ側板63の板面が、板部61の裏面に対して直角になるように形成されている。また、当接面64bも板部61の裏面に対して直角になるように形成されている。また、上側板63aの当接面64bには、外方（遊技領域10の反対の方向）へ向かって、突出している係合突出部69を設けている。
また、連結部65は、図４に示すように、上側板63aと下側板63bとの間を連結している。具体的には、連結部65は、上側板63aの先端付近の内面と、下側板63bの先端付近の内面とを繋ぐように連結している。
【００４２】
また、連結部65は、図４に示すように、２個の側連結部67と、２個の固定連結部68と、１個の中連結部66とから構成されている。２個の側連結部67は、各側板63のそれぞれの先端付近の内面から、内側方向へ向けて突出して設けられている。２個の固定連結部68は、各側連結部67の先端から板部61とは反対方向へ向けて突出して設けられている。また、１個の中連結部66は、２個の固定連結部68の先端どうしを直線状に連結するように設けられている。
また、上側板63aと下側板63bのそれぞれの内面から、それぞれ内方向へ向けて突出した２箇の側連結部67と、各側連結部67の各先端部から、それぞれ板部61とは反対方向へ向けて突出した２箇の固定連結部68と、各固定連結部68の先端部どうしを連結している１個の中連結部66とを有している。また、各側連結部67は、それぞれ、同一の円柱形状をしている。また、各固定連結部68は、それぞれ、同一の四角柱形状をしている。また、中連結部66は、各角に面取が施された四角柱形状をしている。
【００４３】
また、ガイド62には、板部61と、各側板63と、連結部65との間に、レール44を通すことができるレール用通路70が形成されている。また、ガイド62に形成されたレール用通路70に、レール44を入れたとき、連結部65の２個の固定連結部68がそれぞれ各長孔41、42に入るように形成されている。
（表示部材60の表示部材移動部40への取り付け）
表示部材60を表示部材移動部40に取り付ける場合には、まず、表示部材60全体を指等を用いて支持し、表示部材60の各側板63の当接面64bが遊技領域10の反対側を向くようにして、表示部材60の連結部65が連結孔43の位置にくるようにし、連結部65を連結孔43に押し込む。
【００４４】
このとき、連結孔43の短辺方向の長さは、ガイド62の連結部65の、連結孔43に対応する部分の長さよりも、若干短く形成されている。したがって、連結部65を連結孔43に押し込む際の力により、レール44の先端が、遊技盤7の裏面方向へ向かって弾性変形して連結孔43のすき間が大きくなり、連結部65がレール44の下方へ入り込むように形成されている。また、これにより、ガイド62に形成されているレール用通路70の中にレール44が位置するようになる。
また、その際、レール44を形成している表示部材用凹部36の上長孔41と下長孔42とのそれぞれに、連結部65の２つの固定連結部68のそれぞれ１つが入る。
【００４５】
（表示部材60の退避位置への移動）
ガイド62が形成するレール用通路70の中に、レール44が入ることにより、レール44に沿って表示部材60を摺動可能にレール44と係合するように形成されている。したがって、表示部材60が、上記表示部材移動部40に取り付けられた状態で、遊技盤7の外側方向へ向かって、つまり、遊技領域10から離れる方向へ向かって、力を加えると、表示部材60は、遊技盤7の外側方向へ向かって、つまり、遊技領域10から離れる方向へ向かって移動する。このとき、ガイド62の側板63の摺動面64cと側連結部67とが、摺動部56上面を摺動するように形成されている。また、レール44の下面をガイド62の中連結部66の上面が摺動するように形成されている。また、このとき、各固定連結部68のそれぞれ１つが各長孔41、42のそれぞれ一方に入るように形成されている。
【００４６】
そして、各側板63のそれぞれの当接面64bが、遊技盤7の係止板38の内面に接するまで、表示部材60を移動させる。また、この位置まで表示部材60を移動させると、表示部材移動部40及び表示部材60は、表示部材移動部40に設けられた固定用長孔48に、表示部材60の係合突出部69が入るように形成されている。そうすると、表示部材60は、その位置で上下方向に動かなくなる。また、表示部材移動部40及び表示部材60は、この位置まで表示部材60を移動させると、表示部材60の板部61の表面と遊技盤7の外部枠8の前面とが面一になるように形成されている。
また、図５に示すように、この位置に表示部材60を移動させると、表示部材移動部40は、表示部材60が、遊技領域10から外れた位置にくるように形成されている。したがって、この位置は、退避位置に該当する。
【００４７】
また、図５に示すように、この位置に表示部材60を移動させると、表示部材60の板部61の遊技領域10側の端部が、係止片50の前方突出部54に引っかかる。これにより、表示部材60は、移動が阻止され、この位置で表示部材移動部40に固定される。なお、この位置は、上述のように遊技領域10から外れた位置である退避位置である。したがって、この位置で表示部材60を固定すると、表示部材60は、遊技領域10から外れた位置に固定されることになる。また、このとき、表示部材60は、前方突出部54により、ある程度の力が加わらないと動かないように固定されている。したがって、本実施の形態では、前方突出部54が退避位置固定手段72を構成している。
【００４８】
（表示部材60の退避位置から可視可能位置への移動）
図５ないし図７を用いて、表示部材60の退避位置から可視可能位置への移動について説明する。
上述したように、表示部材60は、表示部材移動部40の退避位置固定手段72である前方突出部54により固定されている。ここで、表示部材60を、可視可能位置へ移動させる際は、まず、表示部材60の板部61に、指等により、遊技領域10方向へ向けて力を加える。
このような力を加えると、係止片50が、遊技領域10方向へ向けて弾性変形し、前方突出部54から、板部61の遊技領域10側の端部が外れ、表示部材60は、図６に示すように、矢印の方向である遊技領域10方向へ向けて移動するように形成されている。また、このとき上述した表示部材60の退避位置への移動のときと同様に、ガイド62は、レール44に沿って表示部材60を摺動可能にレール44と係合するように形成されている。すなわち、このとき、ガイド62の各側板63のそれぞれの摺動面64cと側連結部67とが、摺動部56上面を摺動するように形成されている。また、レール44の下面をガイド62の中連結部66の上面が摺動するように形成されている。また、このとき、各固定連結部68が各長孔41、42に入るように形成されている。
【００４９】
その後、表示部材60がレール44に沿って移動していくと、ガイド62の中連結部66がレール突出部45に当接することにより、レール44の先端にあるレール突出部45の手前の位置で、表示部材60は一旦停止するように形成されている。その後さらに力を加えると、レール44が図６における上方へ向けて弾性変形することにより、レール突出部45が図６における上方向へ移動し、表示部材60が、さらに遊技領域10方向へ向けて移動するように形成されている。その後、図７に示すように、連結部65が連結孔43の位置に到達する。
このとき、図７に示すように、レール突出部45と係止片50との間に中連結部66が挟まり、かつ、２箇所ある、摺動止部57と補助板22との間のそれぞれに、２箇所の側連結部67がそれぞれ挟まるように形成されている。これにより、表示部材60は、この位置で固定されることになる。また、表示部材60がこの位置に固定されると、表示部材60に付されている遊技機特定情報の内容が、前扉3の窓部18から可視可能になる。つまり、この位置は可視可能位置である。また、このとき、図２に示すように、遊技機特定情報の半分以上が遊技領域10にさしかかるように形成されている。したがって、本実施の形態では、ガイド62の連結部65と、レール突出部45と、補助板22の係止片50と、２箇所の摺動止部57と、補助板22とが可視可能位置固定手段74を構成している。
【００５０】
また、表示部材60は、上述したように、ガイド62と、ガイド62の間に入るレール44とにより、表示部材60を、レール44に沿って退避位置から可視可能位置へと移動可能に形成されている。したがって、ガイド62とレール44とが表示部材移動手段32を構成している。
また、表示部材60を、表示部材移動部40から取り外す場合には、可視可能位置で固定されている表示部材60を、その位置で、図７における上方向（遊技機PMでいう前方向）へ向けて引っ張る。そうすると、レール44が上方向へ向けて弾性変形し、表示部材60の中連結部66が連結孔43から外れる。これにより、表示部材60を遊技盤7の表示部材移動部40から取り外すことができる。
【００５１】
（作用・効果）
このように、本実施の形態によれば、遊技機特定情報が付された表示部材60を、可視可能位置へ移動し、かつ、可視可能位置に固定することができる。
これにより、遊技領域10に対して、前扉3の窓部18が小さく、前扉3を開けないと、従来の遊技機特定情報が付された位置が確認できないような遊技機PMにおいても、製造工程における検査時等の必要なときに、遊技機特定情報を窓部18から確認することができる。
また、本実施の形態によれば、遊技機特定情報が付された表示部材60を、退避位置へ移動し、かつ、その位置で固定することができる。
【００５２】
これにより、遊技時等、遊技機特定情報を確認する必要がないときには、表示部材60を遊技等の邪魔にならない位置である退避位置に移動し、かつ、退避位置で固定させることができる。したがって、遊技時には、表示部材60を遊技の妨げにならないようにすることができる。
また、本実施の形態によれば、可視可能位置に表示部材60を移動し、かつ、その位置で固定するとき、遊技機特定情報の半分以上が遊技領域10にさしかかっている。したがって、遊技機特定情報の内容の確認が、窓部18から確認しやすくなっている。
また、本実施の形態によれば、表示部材60を退避位置と可視可能位置との間で移動させるとき、ガイド62の２個の固定連結部68が、遊技盤7に設けられた、各長孔41、42のそれぞれに入るように形成されている。これにより、表示部材60を移動させる際のガタツキが、各長孔41、42と、各長孔41、42のそれぞれに入っている各固定連絡部68との間のすき間にしか発生しない。これにより、表示部材60を移動させる際の、表示部材60のガタツキを少なくすることができる。したがって、安定して、表示部材60を退避位置と可視可能位置との間で移動させることができる。
【００５３】
また、本実施の形態によれば、表示部材60に設けられたガイド62と、遊技盤7の外部枠8に位置する表示部材移動部40に設けられたレール44とにより、表示部材60の退避位置と可視可能位置との間での移動を可能にしており、表示部材60を移動させるための部材を、遊技領域10に備えていない。したがって、遊技領域10に遊技と関係ない部材を設けることなく、表示部材60を退避位置から可視可能位置で移動させることができる。これにより、前扉3を開けないと、従来の遊技機特定情報が付された位置が確認できないような遊技機PMにおいても、必要なときに、遊技の邪魔をするような部材を遊技領域10に設けることなく、遊技機特定情報を窓部18から確認をすることができる。
【００５４】
また、本実施の形態によれば、表示部材60と、遊技盤7の外部枠8に位置する表示部材移動部40とにより、表示部材60を退避位置及び可視可能位置で固定しており、表示部材60を退避位置及び可視可能位置で固定するための部材を、遊技領域10に設けていない。したがって、遊技領域10に遊技と関係ない部材を設けることなく、表示部材60を退避位置及び可視可能位置に固定することができる。これにより、前扉3を開けないと、従来の遊技機特定情報が付された位置が確認できないような遊技機PMにおいても、必要なときに、遊技の邪魔をするような部材を遊技領域10に設けることなく、遊技機特定情報を窓部18から確認をすることができる。
【００５５】
（第２の実施の形態）
（図面の説明）
以下、本発明を実施するための第２の実施の形態について、図８を用いて説明する。
図８は、第２の実施の形態にかかる表示部材60の動作を示す拡大正面図である。
第１の実施の形態では、表示部材60を、遊技盤7の前面に対して平行移動させることにより、退避位置と可視可能位置との間で移動可能に形成されていた。
これに対し、第２の実施の形態では、表示部材60を、遊技盤7の前面に対して垂直に設けられた垂直軸75を中心に回動させることにより、退避位置と可視可能位置との間で移動可能に形成されている。
【００５６】
また、第２の実施の形態は、表示部材60及び表示部材移動部40以外は、第１の実施の形態とほぼ同一である。したがって、第１の実施の形態と異なる部分である表示部材60及び表示部材移動部40を主に説明する。
（表示部材60）
表示部材60は、図８に示すように、四角い板状に形成されている。また、表示部材60には、所定の位置に、表示部材60の板面に対して垂直に貫通する垂直軸孔85が設けられている。また、垂直軸孔85は、表示部材60の表面から裏面まで貫通している。
また、表示部材60の一方の板面には、遊技機用識別コード台紙100が貼付されている。
【００５７】
（表示部材移動部40）
表示部材移動部40は、図８にに示すように、遊技盤7の右下方に設けられている。また、表示部材移動部40は、遊技盤7の外部枠8に設けられている。
表示部材移動部40には、表示部材60を、外部枠8の所定の位置に回動可能に軸支する垂直軸75と、遊技盤7の外部枠8の所定の位置に設けられた退避位置固定手段72と、遊技領域10の所定の位置に設けられた可視可能位置固定手段74とが設けられている。
また、退避位置固定手段72は、遊技盤7の前方向へ向けて突出して設けられている。
また、退避位置固定手段72は、断面が逆Ｌ形の形状をしている。
【００５８】
また、退避位置固定手段72を設けることにより、退避位置固定手段72の内面と遊技盤7の前面と間によりすき間が形成される。また、表示部材60がこのすき間入ることにより、この位置で表示部材60が固定されるように形成されている。また、退避位置固定手段72により表示部材60が固定される位置は、遊技領域10から外れた退避位置になるように形成されている。
また、可視可能位置固定手段74は、遊技盤7の前方向へ向けて突出して設けられている。また、可視可能位置固定手段74は、退避位置固定手段72とほぼ同一形状の逆Ｌ字型の形状をしている。
【００５９】
また、可視可能位置固定手段74を設けることにより、逆Ｌ字型を有する可視可能位置固定手段74の内面と遊技盤7の前面と間にすき間が形成される。また、表示部材60がこのすき間入ることにより、この位置で表示部材60が固定されるように形成されている。また、可視可能位置固定手段74により表示部材60が固定される位置は、前扉3の窓部18から表示部材60に付されている遊技機特定情報が可視可能な可視可能位置になるように形成されている。また、この位置で表示部材60が固定されたとき、遊技機特定情報の半分以上が遊技領域10にさしかかるように形成されている。
また、垂直軸75は、図８に示すように、遊技盤7の右下方付近におけるレール6よりもわずかに外側、かつ、前扉3の枠部19と窓部18との境界線よりもわずかに内側の位置に設けられている。また、垂直軸75は、遊技盤7に対して垂直に設けられている。また、垂直軸75は、円柱形状をしている。
【００６０】
また、表示部材60は、垂直軸孔85の中に垂直軸75が位置するように設置されている。また、垂直軸75は、表示部材60を回動可能に軸支している。また、垂直軸75は、表示部材60を遊技領域10の反対側に回動させたとき、表示部材60が退避位置固定手段72に挟まるように形成されている。また、垂直軸75は、表示部材60を遊技領域10側に回動させたとき、表示部材60が可視可能位置固定手段74に挟まるように形成されている。
また、本実施の形態では、表示部材60に設けられた垂直軸孔85と、遊技盤7に設けられた垂直軸75とにより、表示部材60を、退避位置と可視可能位置との間で移動可能に形成している。したがって、本実施の形態では、垂直軸孔85と、垂直軸75とが表示部材移動手段32を構成している。
【００６１】
（作用・効果）
本実施の形態における表示部材60の動作を図８に従って説明する。
まず、通常の遊技時においては、表示部材60を、可視可能位置から反時計回り（左周り）に回動させ、表示部材60を退避位置固定手段72に挟むようにし、その位置で固定する。これにより、表示部材60は、退避位置に固定されることになる。
なお、このとき、表示部材60は、遊技領域10の外側に位置している。したがって、遊技時において、表示部材60が邪魔になることはない。
また、表示部材60を、この退避位置から、可視可能位置へ移動させる場合は、表示部材60の板部61に、表示部材60を退避位置から時計回り（右回り）に回動させるような力を加え、退避位置固定手段72から表示部材60を外す。その後、表示部材移動部40に設けられている垂直軸75を中心に、表示部材60を時計回り（右回り）に回動させる。そして、表示部材60を可視可能位置固定手段74に挟むようにし、その位置で固定するようにする。このとき、前扉3の窓部18から可視可能な表示部材60の板面には、遊技機用識別コード台紙100が貼付されている。また、この遊技機用識別コード台紙100には、遊技機特定情報が印刷されている。
【００６２】
このように、本実施の形態によれば、遊技機特定情報が付された表示部材60を、可視可能位置へ移動し、かつ、その位置で固定することができる。
これにより、遊技領域10に対して前扉3の窓部18が小さく、前扉3を開けないと、従来の遊技機特定情報が付された位置が確認できないような遊技機PMにおいても、製造工程における検査時等の必要なときに、遊技機特定情報を窓部18から確認することができる。
また、本実施の形態によれば、遊技機特定情報が付された表示部材60を、退避位置へ移動し、かつ、その位置で固定することができる。これにより、表示部材60を、遊技時等の遊技機特定情報を確認する必要がないときは、表示部材60を遊技等の邪魔にならない位置である退避位置に移動し、かつ、その位置で固定させることができる。したがって、遊技時には、表示部材60を遊技の妨げにならないようにすることができる。
【００６３】
また、本実施の形態によれば、可視可能位置に表示部材60を移動し、かつ、その位置で固定するとき、遊技機特定情報の半分以上が遊技領域10にさしかかっている。したがって、遊技機特定情報の内容を、窓部18から確認しやすくなっている。
また、本実施の形態によれば、表示部材60に設けた垂直軸孔85と、表示部材移動部40に設けられた垂直軸75とによる簡単な構造のみで、表示部材60を可視可能位置と退避位置との間で移動可能にすることができる。
また、本実施の形態によれば、退避位置固定手段72と、可視可能位置固定手段74との簡単な構造のみで、表示部材60の退避位置及び可視可能位置での固定を可能とすることができる。
【００６４】
（第３の実施の形態）
（図面の説明）
以下、本発明を実施するための第３の実施の形態について、図９を用いて説明する。
図９は、第３の実施の形態にかかる表示部材60の動作を示す拡大正面図である。
第１の実施の形態では、表示部材60を、遊技盤7の前面に対して平行移動させることにより、退避位置と可視可能位置との間で移動可能に形成されていた。
これに対し、第３の実施の形態では、表示部材60を、遊技盤7の前面に対して平行に設けられた平行軸76を中心に回動させることにより、退避位置と可視可能位置との間で移動可能に形成されている。
【００６５】
また、第２の実施の形態は、表示部材60及び表示部材移動部40以外は、第１の実施の形態とほぼ同一である。したがって、第１の実施の形態と異なる部分である表示部材60及び表示部材移動部40を主に説明する。
（表示部材60）
表示部材60は、板状に形成されている。また、表示部材60は、図９に示すように、方形形状を基準とし、一箇所の角を直線上に切り欠いた５角形の形状に形成されている。また、切り欠いたことにより形成された一端には、固定用端部が形成されている。また、この固定用端部には、回動用突出部81が設けられている。また、回動用突出部81には、表示部材60の板面と平行に貫通した平行軸用孔82が設けられている。また、平行軸用孔82は固定用端部と平行に設けられている。平行軸用孔82は、後述する平行軸76が挿入するのに適した直径を有するように形成されている。
【００６６】
また、表示部材60の一方の板面には、遊技機用識別コード台紙100が貼付されている。また、表示部材60の遊技機用識別コード台紙100が貼付されていない他方の板面には、所定の位置に、固定用突出部84が設けられている。また、固定用突出部84は、円柱形状に形成され、板面から突出して設けられている。また、固定用突出部84は、後述する固定孔77に嵌る位置及び形状に形成されている。
（表示部材移動部40）
表示部材移動部40は、遊技盤7の右下方に設けられている。また、表示部材移動部40は、遊技盤7の外部枠8に設けられている。
【００６７】
また、表示部材移動部40には、図９に示すように、遊技盤7に裏方向へ向けて凹んでいる表示部材固定用凹部83と、表示部材60を固定するための固定孔77と、表示部材60を回動可能に軸支する平行軸76とを備えている。
また、表示部材固定用凹部83は、表示部材60の板面の形状とほぼ同一に形成されている。また、表示部材60が表示部材固定用凹部83に嵌ると、表示部材60はその位置で固定され、ある程度の力を加えないと抜けないように形成されている。また、表示部材固定用凹部83は、表示部材60が固定されるとき、表示部材60が遊技領域10から外れた位置である退避位置になるように形成されている。
【００６８】
また、遊技盤7の遊技領域10には、表示部材60を固定するための固定孔77が設けられている。固定孔77は、固定用突出部84とほぼ同一の直径をしている。また、固定孔77は、表示部材60の固定用突出部84が嵌ると、表示部材60はその位置で固定され、ある程度の力が加わらないと、抜けないように形成されている。また、固定孔77により、表示部材60が固定される位置は、窓部18から表示部材60に付されている可視可能な可視可能位置になるように形成されている。また、この位置で表示部材60が固定されたとき、遊技機特定情報のほぼ全部が遊技領域10にさしかかるように形成されている。
また、遊技盤7には、平行軸76を取り付けるための、２個の平行軸止部材90を設けている。２個の平行軸止部材90は、それぞれ表示部材移動部40の所定の位置に設けられている。また、２個の平行軸止部材90は、所定の間隔を空けて設けられている。また、２個の平行軸止部材90は、同一形状をしている。また、各平行軸止部材90には、それぞれに貫通孔である平行軸止孔が設けられている。この各平行軸止孔は、それぞれ平行軸76
を圧入することにより固定可能にするように、平行軸76の直径をほぼ同一の直径に形成されている。また、各平行軸止孔は、同一形状に形成されている。また、各平行軸止部材90に設けられている平行軸止孔は、それぞれ中心軸が同軸であり、それぞれが直線上に位置するように設けられている。
【００６９】
また、２つの平行軸止孔は、２つの平行軸止孔に平行軸76を取り付けたとき、平行軸76が遊技盤7に対して平行になるように形成されている。
また、２個の平行軸止部材90は、２個の平行軸止部材90間に表示部材60の回動用突出部81が位置することができるように形成され、かつ、この状態で、各平行軸止部材90に設けられたそれぞれの平行軸止孔と、回動用突出部81に設けられた平行軸用孔82とが直線上に位置するように形成されている。また、この状態で、平行軸76を、２個の平行軸止孔と、２個の平行軸止孔の間に位置する表示部材60の平行軸用孔82とに挿入している。また、平行軸76は、遊技盤7に対して平行に取り付けられている。また、これにより、表示部材60は、平行軸76に、平行軸76を中心に回動可能に軸支されている。
【００７０】
また、表示部材60の平行軸用孔82、おのおのに平行軸止孔を設けた２個の平行軸止部材90、及び平行軸76は、表示部材60を、遊技領域10側に回動させたとき、表示部材60の固定用突出部84が固定孔77に嵌るように形成されている。また、表示部材60の平行軸用孔82、おのおのに平行軸止孔を設けた２個の平行軸止部材90、及び平行軸76は、表示部材60を遊技領域10とは反対側に回動させたとき、表示部材60が表示部材固定用凹部83に嵌るように形成されている。これにより、本実施の形態では、表示部材60の平行軸用孔82と、それぞれに平行軸止孔を設けた２個の平行軸止部材90と、平行軸76とにより、表示部材60を退避位置と可視可能位置との間で移動可能に形成している。したがって、本実施の形態では、表示部材60の平行軸用孔82と、それぞれに平行軸止孔を設けた２個の平行軸止部材90と、平行軸76とが表示部材移動手段32を構成する。
【００７１】
また、本実施の形態においては、表示部材固定用凹部83は、退避位置で表示部材60を固定している。したがって、表示部材固定用凹部83が退避位置固定手段72を構成する。
また、本実施の形態においては、表示部材60の固定用突出部84と、固定孔77とにより、可視可能位置で表示部材60を固定している。したがって、表示部材60の固定用突出部84と固定孔77とが可視可能位置固定手段74を構成する。
（作用・効果）
本実施の形態における表示部材60の動作を図９に従って説明する。
まず、通常の遊技時等においては、表示部材60を、遊技領域10とは反対側に回動させ、表示部材固定用凹部83に嵌め込み、その位置で固定するようにする。これにより、表示部材60は、退避位置に固定されることになる。
【００７２】
なお、このとき、表示部材60は、遊技領域10の外側に位置している。したがって、遊技時において、表示部材60が邪魔になることはない。
また、表示部材60を、この退避位置から、可視可能位置へ移動させる場合は、表示部材60に設けられている固定用突出部84を指等により、遊技盤7の前方向へ向けて引っ張るようにし、表示部材固定用凹部83から表示部材60を外す。その後、表示部材移動部40に設けられている平行軸76を中心に、表示部材60を遊技領域10側に回動させる。その後、遊技盤7の遊技領域10に設けられている固定孔77に表示部材60の固定用突出部84を挿入し、その位置で表示部材60を固定するようにする。このとき、前扉3の窓部18から、表示部材60の板面に付されている遊技機特定情報が可視可能になっている。
【００７３】
このように、本実施の形態によれば、遊技機特定情報が付された表示部材60を、退避位置から可視可能位置へ移動し、かつ、その位置で固定することができる。
これにより、遊技領域10に対して、前扉3の窓部18が小さく、前扉3を開けないと、従来の遊技機特定情報が付された位置が確認できないような遊技機PMにおいても、製造工程における検査時等の必要なときに、遊技機特定情報を窓部18から確認することができる。
また、本実施の形態によれば、遊技機特定情報が付された表示部材60を、退避位置へ移動し、かつ、固定することができる。これにより、表示部材60を、遊技時等の遊技機特定情報を確認する必要がないときは、表示部材60を遊技等の邪魔にならない位置である退避位置に移動し、かつ、その退避位置で固定させることができる。したがって、遊技時には、表示部材60を遊技の妨げにならないようにすることができる。
【００７４】
また、本実施の形態によれば、可視可能位置に表示部材60を移動し、かつ、その位置で固定するとき、遊技機特定情報のほぼ全部が遊技領域10にさしかかっている。したがって、遊技機特定情報の内容を、確認しやすくなっている。
また、本実施の形態によれば、表示部材60に設けた垂直軸孔85と、表示部材移動部40に設けられた平行軸76とによる簡単な構造のみで、表示部材60を可視可能位置と退避位置との間で移動可能にすることができる。
また、本実施の形態によれば、表示部材固定用凹部83と、固定孔77と平行軸76との簡単な構造のみで、表示部材60の退避位置及び可視可能位置での固定を可能とすることができる。
【図面の簡単な説明】
【００７５】
【図１】第１の実施の形態にかかるパチンコ機の正面図である。
【図２】第１の実施の形態にかかる遊技盤の正面拡大図である。
【図３】第１の実施の形態にかかるの表示部材移動部の拡大斜視図である。
【図４】第１の実施の形態にかかる表示部材の拡大斜視図である。
【図５】第１の実施の形態にかかる退避位置での表示部材を示す拡大断面図である。
【図６】第１の実施の形態にかかる表示部材の退避位置から可視可能位置へ移動する際の動作を示す拡大断面図である。
【図７】第１の実施の形態にかかる可視可能位置での表示部材を示す拡大断面図である。
【図８】第２の実施の形態にかかる表示部材の動作を示す拡大正面図である。
【図９】第３の実施の形態にかかる表示部材の動作を示す拡大正面図である。
【符号の説明】
【００７６】
PM   遊技機（パチンコ機）
1     外枠                        2     前枠
3     前扉                        4     上球皿
5     操作ハンドル                6     レール
7     遊技盤                      8     外部枠
10    遊技領域                    11    一般入賞口
12    始動入賞口                  13    大入賞口
14    アウト口                    15    風車
17    スピーカ                    18    窓部
19    枠部                        20    装飾図柄表示装置
22    補助板                      30    遊技効果ランプ
32    表示部材移動手段            34    平面凹部
36    表示部材用凹部              38    係止板
40    表示部材移動部
41    上長孔                      42    下長孔
43    連結孔                      44    レール
45    レール突出部                48    固定用長孔
50    係止片                      51    補助板長孔
52    平面凹部長孔                53    係止片連結孔
54    前方突出部                  55    側方突出部
56    摺動部                      57    摺動止部
58    係止止片
60    表示部材                    61    板部
62    ガイド                      63    側板
63a   上側板                      63b   下側板
64a   接続面                      64b   当接面
64c   摺動面                      65    連結部
66    中連結部                    67    側連結部
68    固定連結部                  69    係合突出部
70    レール用通路                72    退避位置固定手段
74    可視可能位置固定手段        75    垂直軸
76    平行軸                      77    固定孔
81    回動用突出部                82    平行軸用孔
83    表示部材固定用凹部          84    固定用突出部
85    垂直軸孔                    90    平行軸止部材
100   遊技機用識別コード台紙
【図１】
0004798769.tif 000002
【図２】
0004798769.tif 000003
【図３】
0004798769.tif 000004
【図４】
0004798769.tif 000005
【図５】
0004798769.tif 000006
【図６】
0004798769.tif 000007
【図７】
0004798769.tif 000008
【図８】
0004798769.tif 000009
【図９】
0004798769.tif 000010